(57)【特許請求の範囲】
【請求項１】
リセット信号に応じて再起動を実行する再起動手段と、この再起動手段の再起動に応じて、記憶中の構成情報を変更内容に更新する更新手段と、通信呼を中継すると共に、前記再起動手段の再起動に応じて、前記通信呼の中継を切断する通信中継手段とを有する通信中継装置であって、
前記通信中継手段の通信呼の中継状況を監視する通信監視手段と、
この通信監視手段の監視結果に基づき、現在中継中の通信呼数が設定閾値以下であるか否かを判定する通信呼数判定手段と、
この通信呼数判定手段にて現在中継中の通信呼数が設定閾値以下であると判定されると、前記リセット信号を出力する制御手段と、
現在時刻が設定時刻に到達したか否かを判定する設定時刻判定手段を有して構成され、
前記通信呼数判定手段は、前記設定時刻判定手段にて現在時刻が設定時刻に到達したと判定されると、前記現在中継中の通信呼数が設定閾値以下であるか否かを判定し、
また、前記制御手段は、前記通信呼数判定手段にて現在中継中の通信呼数が設定閾値以下でないと判定されると、前記現在中継中の通信呼数が設定閾値以下になるまで前記通信呼数判定手段の判定動作を継続し、かつ、前記設定時刻判定手段にて現在時刻が設定時刻に到達したと判定されると、所定監視タイマの計時動作を開始し、前記通信呼数判定手段にて現在中継中の通信呼数が設定閾値以下でないと判定されたとしても、前記通信呼数判定手段の判定動作を継続し、前記所定監視タイマがタイムアップすると、前記リセット信号を出力する、
ことを特徴とする通信中継装置。
【請求項２】
リセット信号に応じて再起動を実行する再起動手段と、この再起動手段の再起動に応じて、記憶中の構成情報を変更内容に更新する更新手段と、通信呼を中継すると共に、前記再起動手段の再起動に応じて、前記通信呼の中継を切断する通信中継手段とを有する通信中継装置であって、
前記通信中継手段の通信呼の中継状況を監視する通信監視手段と、
この通信監視手段の監視結果に基づき、現在中継中の通信呼数が設定閾値以下であるか否かを判定する通信呼数判定手段と、
この通信呼数判定手段にて現在中継中の通信呼数が設定閾値以下であると判定されると、前記リセット信号を出力する制御手段と、
現在時刻が設定時刻に到達したか否かを判定する設定時刻判定手段を有して構成され、
前記通信呼数判定手段は、前記設定時刻判定手段にて現在時刻が設定時刻に到達したと判定されると、前記現在中継中の通信呼数が設定閾値以下であるか否かを判定し、
また、前記制御手段は、前記設定時刻判定手段にて現在時刻が設定時刻に到達したと判定されると、所定監視タイマの計時動作を開始し、前記通信呼数判定手段にて現在中継中の通信呼数が設定閾値以下でないと判定されたとしても、前記通信呼数判定手段の判定動作を継続し、前記所定監視タイマがタイムアップすると、前記リセット信号を出力する、
ことを特徴とする通信中継装置。
【発明の詳細な説明】
【技術分野】
【０００１】
本発明は、例えば通話呼やデータ呼等の通信呼を中継する通信中継機能を備え、例えば記憶中の構成情報の変更時に、同装置自体の再起動に応じて記憶中の構成情報を変更内容に更新する通信中継装置に関する。
【背景技術】
【０００２】
従来、このような通信中継装置においては、例えばＬＡＮ及びＷＡＮ間に配置され、ＬＡＮに収容接続する通信端末及び、ＷＡＮに収容接続する通信端末間の通信呼を中継する通信中継機能を備えている。
【０００３】
このような通信中継装置では、ＬＡＮ及びＷＡＮ間の通信呼を中継する際、ＬＡＮ及びＷＡＮ内の各通信端末のＩＰアドレス、電話番号、通信プロトコル等の構成情報を記憶管理しておき、この記憶管理中の構成情報に基づき、ＬＡＮ及びＷＡＮ間の通信端末同士の通信呼の中継を実現することができるものである。
【０００４】
また、このような通信中継装置では、記憶管理中の構成情報に変更がある場合、記憶管理中の構成情報を変更内容に更新するためには装置全体を再起動する必要がある。
【０００５】
そこで、このような従来の通信中継装置においては、同通信中継装置の設置場所に作業者が直接赴き、同設置場所で構成情報の変更内容を入力し、同通信中継装置を再起動することで、記憶中の構成情報を変更内容に更新することができるものである。
【０００６】
しかしながら、このような従来の通信中継装置によれば、同通信中継装置の設置場所に作業者が直接赴いて作業をしなければならず、作業者の負担はきわめて大きい。
【０００７】
そこで、従来技術としては、コンピュータ等の端末システムを技術分野とし、例えばホストシステムからの遠隔操作で変更データや変更プログラムを端末システムに伝送した後、さらに同端末システムに対してリセット信号を伝送することで、同端末システムは、リセット信号に応じて再起動を実行し、同変更データや変更プログラムを同端末システム内部に更新できるようにしたものが知られている（例えば特許文献１参照）。尚、特許文献１の技術内容は、コンピュータ等の端末システムを発明対象としているものの、上述した通信中継装置を発明対象としてはいない。
【０００８】
そこで、仮に特許文献１の技術的思想を通信中継装置に採用した場合は、通信中継装置の設置箇所に作業者が直接赴かなくても、例えば保守端末からの遠隔操作で通信中継装置内部の構成情報の変更内容を入力した後、同通信中継装置は、保守端末からのリセット信号を受信すると、同リセット信号に応じて再起動を実行することで、同通信中継装置に記憶中の構成情報を変更内容に更新することができることも考えられる。
【特許文献１】特開平８−２４１２０６号公報（図１及び要約書参照）
【発明の開示】
【発明が解決しようとする課題】
【０００９】
しかしながら、上記のような通信中継装置によれば、例えば保守端末からの遠隔操作によるリセット信号に応じて再起動を実行し、この再起動に応じて記憶中の構成情報を変更内容に更新できることも考えられるが、例えば通信利用頻度が非常に高い時間帯等の通信利用状況を考慮することなく、この通信中継装置の運用中に再起動を実行した場合、現在中継中の通信呼が全て切断されてしまうことになる。
【００１０】
そこで、本発明は上記点に鑑みてなされたものであり、その目的とするところは、運用中であっても、現在中継中の通信呼の切断を最小限に抑えながら、構成情報の変更内容を更新することができる通信中継装置を提供することにある。
【課題を解決するための手段】
【００１１】
上記目的を達成するために本発明の通信中継装置は、リセット信号に応じて再起動を実行する再起動手段と、この再起動手段の再起動に応じて、記憶中の構成情報を変更内容に更新する更新手段と、通信呼を中継すると共に、前記再起動手段の再起動に応じて、前記通信呼の中継を切断する通信中継手段とを有する通信中継装置であって、前記通信中継手段の通信呼の中継状況を監視する通信監視手段と、この通信監視手段の監視結果に基づき、現在中継中の通信呼数が設定閾値以下であるか否かを判定する通信呼数判定手段と、この通信呼数判定手段にて現在中継中の通信呼数が設定閾値以下であると判定されると、前記リセット信号を出力する制御手段と、現在時刻が設定時刻に到達したか否かを判定する設定時刻判定手段を有して構成され、前記通信呼数判定手段が、前記設定時刻判定手段にて現在時刻が設定時刻に到達したと判定されると、前記現在中継中の通信呼数が設定閾値以下であるか否かを判定し、また、前記制御手段が、前記通信呼数判定手段にて現在中継中の通信呼数が設定閾値以下でないと判定されると、前記現在中継中の通信呼数が設定閾値以下になるまで前記通信呼数判定手段の判定動作を継続し、かつ、前記設定時刻判定手段にて現在時刻が設定時刻に到達したと判定されると、所定監視タイマの計時動作を開始し、前記通信呼数判定手段にて現在中継中の通信呼数が設定閾値以下でないと判定されたとしても、前記通信呼数判定手段の判定動作を継続し、前記所定監視タイマがタイムアップすると、前記リセット信号を出力することを特徴とする。
【００１２】
また、上記目的を達成するために本発明の通信中継装置は、リセット信号に応じて再起動を実行する再起動手段と、この再起動手段の再起動に応じて、記憶中の構成情報を変更内容に更新する更新手段と、通信呼を中継すると共に、前記再起動手段の再起動に応じて、前記通信呼の中継を切断する通信中継手段とを有する通信中継装置であって、前記通信中継手段の通信呼の中継状況を監視する通信監視手段と、この通信監視手段の監視結果に基づき、現在中継中の通信呼数が設定閾値以下であるか否かを判定する通信呼数判定手段と、 この通信呼数判定手段にて現在中継中の通信呼数が設定閾値以下であると判定されると、前記リセット信号を出力する制御手段と、現在時刻が設定時刻に到達したか否かを判定する設定時刻判定手段を有してこうせいされ、前記通信呼数判定手段が、前記設定時刻判定手段にて現在時刻が設定時刻に到達したと判定されると、前記現在中継中の通信呼数が設定閾値以下であるか否かを判定し、また、前記制御手段が、前記設定時刻判定手段にて現在時刻が設定時刻に到達したと判定されると、所定監視タイマの計時動作を開始し、前記通信呼数判定手段にて現在中継中の通信呼数が設定閾値以下でないと判定されたとしても、前記通信呼数判定手段の判定動作を継続し、前記所定監視タイマがタイムアップすると、前記リセット信号を出力することを特徴とする。
【００１３】
従って、本発明の通信中継装置によれば、通信監視手段の監視結果に基づき、現在中継中の通信呼数が設定閾値以下であると判定されると、再起動を実行すべく、リセット信号を出力するようにしたので、例えば設定閾値を"０"若しくは通信呼切断の最小許容呼数に設定しておくことで、同通信中継装置が運用中であったとしても、再起動に伴う、現在中継中の通信呼の切断を最小限、すなわち設定閾値以下に抑えながら、構成情報の変更内容を更新することができる。
【００１４】
また、本発明の通信中継装置によれば、現在時刻が設定時刻に到達したと判定されると、前記現在中継中の通信呼数が設定閾値以下であるか否かを判定する前記通信呼数判定手段の判定動作を実行するようにしたので、例えば通信利用頻度の少ない夜中等の時間帯に設定時刻を設定した場合、通信利用頻度が少ない時間帯であるため、再起動に伴う現在中継中の通信呼の切断を最小限、すなわち設定閾値以下に抑えながら、構成情報の変更内容を更新することができる。
【００１６】
また、本発明の通信中継装置によれば、現在中継中の通信呼数が設定閾値以下でないと判定されると、前記現在中継中の通信呼数が設定閾値以下になるまで前記通信呼数判定手段の判定動作を継続するようにしたので、再起動に伴う現在中継中の通信呼の切断を最小限、すなわち設定閾値以下に抑えながら、構成情報の変更内容を更新することができる。
【００１８】
また、本発明の通信中継装置によれば、現在時刻が設定時刻に到達したと判定されると、所定監視タイマの計時動作を開始し、前記通信呼数判定手段にて現在中継中の通話チャネル呼数が設定閾値以下でないと判定されたとしても、前記通信呼数判定手段の判定動作を継続し、前記所定監視タイマがタイムアップすると、前記リセット信号を出力するようにしたので、前記通信呼数判定手段の判定動作を継続し、現在中継中の通信呼が設定閾値以下にならなくても、所定監視タイマがタイムアップすると、強制的にリセット信号を出力することで、構成情報を変更内容に更新できなくなるような弊害を防止することができる。
【発明の効果】
【００２３】
上記のように構成された本発明の通信中継装置によれば、通信監視手段の監視結果に基づき、現在中継中の通信呼数が設定閾値以下であると判定されると、再起動を実行すべく、リセット信号を出力するようにしたので、例えば設定閾値を“０”若しくは通信呼切断の最小許容呼数に設定しておくことで、同通信中継装置が運用中であったとしても、再起動に伴う、現在中継中の通信呼の切断を最小限、すなわち設定閾値以下に抑えながら、構成情報の変更内容を更新することができる。
【発明を実施するための最良の形態】
【００２４】
以下、図面に基づき本発明の通信中継装置に関わる実施の形態を示すＬＡＮ−ＷＡＮ通信システムについて説明する。図１は本実施の形態を示すＬＡＮ−ＷＡＮ通信システム全体の概略構成を示すブロック図である。
【００２５】
図１に示すＬＡＮ−ＷＡＮ通信システム１は、ＬＡＮ通信システム２と、ＷＡＮ通信システム３と、これらＬＡＮ通信システム２及びＷＡＮ通信システム３間に接続され、ＬＡＮ通信システム２側のＩＰ電話機２Ａ及び、ＷＡＮ通信システム３側のＩＰ電話機３Ａ間の通話呼をプロトコル変換して中継する通信中継装置４とを有している。
【００２６】
ＬＡＮ通信システム２は、ＩＰ電話機２Ａと、このＩＰ電話機２Ａを管理するＩＰ−ＰＢＸ２Ｂと、これらＩＰ電話機２Ａ及びＩＰ−ＰＢＸ２Ｂを収容接続するＬＡＮ側ハブ２Ｃとを有し、ＬＡＮ側ハブ２Ｃは、通信中継装置４を通じてＷＡＮ通信システム３と接続するものである。
【００２７】
ＷＡＮ通信システム３は、ＩＰ電話機３Ａを収容接続するＩＰ電話サービス網３Ｂと接続するルータ３Ｃと、保守用ＰＣ３Ｄと、これらルータ３Ｃ及び保守用ＰＣ３Ｄを収容接続するＷＡＮ側ハブ３Ｅとを有し、ＷＡＮ側ハブ３Ｅは、通信中継装置４を通じてＬＡＮ通信システム２と接続するものである。
【００２８】
図２は本実施の形態に関わる通信中継装置４内部の概略構成を示すブロック図である。
【００２９】
図２に示す通信中継装置４は、ＬＡＮ側ハブ２Ｃとの通信インタフェースを司るＬＡＮ側通信インタフェース１１と、同ＬＡＮ側通信インタフェース１１を制御するＬＡＮ側通信制御部１２と、ＷＡＮ側ハブ３Ｅとの通信インタフェースを司るＷＡＮ側通信インタフェース１３と、同ＷＡＮ側通信インタフェース１３を制御するＷＡＮ側通信制御部１４と、ＬＡＮ側通信インタフェース１１及びＷＡＮ側通信インタフェース１３間でＩＰ電話機２Ａ、３Ａ同士の通話呼をプロトコル変換して中継する通信中継部１５と、この通信中継部１５の通信状況を監視する通信監視部１６と、例えばＩＰ電話機２Ａ，３ＡのＩＰアドレス、電話番号や通信プロトコル等の構成情報を記憶するメモリ部１７と、構成情報の変更内容を一次記憶する変更内容メモリ部１８と、メモリ部１７及び変更内容メモリ部１８をメモリ制御するメモリ制御部１９と、リセット信号に応じて通信中継装置４全体の再起動を実行する再起動部２０と、後述するリセット条件を設定する設定部２１と、現在時刻が、後述するリセット開始時刻に到達したか否かを監視するリセット時刻監視部２２と、後述するタイマ監視部２３と、この通信中継装置４全体を制御するメイン側制御部２４とを有している。尚、ＬＡＮ側制御部１２、ＷＡＮ側制御部１４及びメイン側制御部２４で使用するオペレーションシステム（ＯＳ）は夫々異なるものとする。
【００３０】
通信監視部１６は、通信中継部１５の通信状況、例えば現在中継中の通話チャネル呼数や終話チャネル呼数等を検出するものである。
【００３１】
メイン側制御部２４は、リセット時刻監視部２２にて現在時刻がリセット開始時刻に到達したと判定されると、通信監視部１６を通じて現在中継中の通話チャネル呼数を取得し、この取得した現在中継中の通話チャネル呼数が設定閾値以下であるか否かを判定し、現在中継中の通話チャネル呼数が設定閾値以下であると判定されると、ＬＡＮ側通信制御部１２及びＷＡＮ側通信制御部１４のリセットはもちろんのこと、再起動部２０に対してリセット信号を出力するものである。尚、リセット開始時刻及び設定閾値は、設定部２１を通じて任意の数値をユーザ設定できるものとする。
【００３２】
また、メイン側制御部２４は、現在時刻がリセット開始時刻に到達したと判定されると、タイマ監視部２３を通じて通話監視タイマの計時動作を開始し、通信監視タイマがタイムアップするまで現在中継中の通話チャネル呼数が設定閾値以下であるか否かの判定動作を継続するものである。尚、通信監視タイマ時間は、設定部２１を通じて任意のタイマ時間をユーザ設定できるものとする。
【００３３】
つまり、メイン側制御部２４は、通話監視タイマの計時動作を開始した後、現在中継中の通話チャネル呼数が設定閾値以下であるか否かの判定動作の継続中に、通話監視タイマがタイムアップした場合、現在中継中の通話チャネル呼数が設定閾値以下でなくても、ＬＡＮ側通信制御部１２及びＷＡＮ側通信制御部１４はもちろんのこと、再起動部２０に対してリセット信号を出力するものである。また、ＬＡＮ側通信制御部１２、ＷＡＮ側通信制御部１４及びメイン側制御部２４を夫々個別にリセットする理由としては、これらＬＡＮ側通信制御部１２、ＷＡＮ側通信制御部１４及びメイン側制御部２４夫々使用するＯＳが異なるためである。
【００３４】
また、メイン側制御部２４は、構成情報に関わる変更内容の入力操作に応じて同変更内容を検出すると、同変更内容を変更内容メモリ部１８に一時的に記憶し、再起動部２０の再起動に応じて、変更内容メモリ部１８に記憶中の変更内容にメモリ部１７に記憶中の構成情報を更新するものである。尚、変更内容メモリ部１８に記憶中の変更内容は、再起動部２０の再起動がなければ、メモリ部１７に記憶中の構成情報を更新することができない。
【００３５】
また、メイン側制御部２４は、設定部２１を通じてリセット条件を設定可能とし、リセット条件は、自動再起動をＯＮ／ＯＦＦ設定する自動再起動設定と、現在時刻を設定する現在時刻設定と、リセット開始時刻を設定するリセット開始時刻設定と、後述する通話状況対応リセットモードをＯＮ／ＯＦＦ設定する通話状況対応リセットモード設定と、強制リセットモードをＯＮ／ＯＦＦ設定する強制リセットモード設定と、通話状況対応リセットＯＮ設定時に使用する設定閾値を設定する設定閾値設定と、通話状況対応リセットＯＮ設定時に使用する通話監視タイマのタイマ時間を設定する通話監視タイマ設定とを有している。尚、リセット条件は、設定部２１からだけでなく、例えば保守用ＰＣ３Ｄからでも設定することができ、図３は同保守用ＰＣ３Ｄの設定画面に相当するものである。また、構成情報に関わる変更内容は、設定部２１からはもちろんのこと、同様に保守用ＰＣ３Ｄからの遠隔操作でも入力することができることは言うまでもない。
【００３６】
尚、請求項記載の通信中継装置は通信中継装置４、再起動手段は再起動部２０、更新手段はメモリ制御部１９及びメイン側制御部２４、通信中継手段は通信中継部１５、通信監視手段は通信監視部１６、通信呼数判定手段及び制御手段はメイン側制御部２４、設定時刻判定手段はリセット時刻監視部２２、所定監視タイマはタイマ監視部２３、リセット条件判定手段はメイン側制御部２４に相当するものである。
【００３７】
次に第１の実施の形態を示すＬＡＮ−ＷＡＮ通信システム１の動作について説明する。図４は第１の実施の形態に関わる通信中継装置４の第１自動再起動処理に関わるメイン側制御部２４の処理動作を示すフローチャートである。
【００３８】
図４に示す第１自動再起動処理は、リセット開始時刻の到来に応じて通信中継装置４の通信状況を監視し、この監視結果に応じて再起動を実行することで構成情報を変更内容に更新する処理である。尚、メイン側制御部２４は、設定部２１を通じて自動再起動設定をＯＮ、通話状況対応リセットモード設定をＯＮ、現在時刻設定、リセット開始時刻設定、設定閾値設定及び通話監視タイマ設定が夫々設定されているものとする。
【００３９】
図４においてメイン側制御部２４は、自動再起動設定がＯＮ中であるか否かを判定する（ステップＳ１０）。メイン側制御部２４は、自動再起動設定がＯＮ中であると判定されると、リセット時刻監視部２２を通じて現在時刻がリセット開始時刻に到達したか否かを判定する（ステップＳ１１）。
【００４０】
メイン側制御部２４は、現在時刻がリセット開始時刻に到達したと判定されると、現在設定中のリセットモードは通話状況対応リセットモードであるか否かを判定する（ステップＳ１２）。メイン側制御部２４は、現在設定中のリセットモードが通話状況対応リセットモードであると判定されると、タイマ監視部２３を通じて通話監視タイマの計時動作を開始する（ステップＳ２１）。
【００４１】
メイン側制御部２４は、タイマ監視部２３を通じて通話監視タイマの計時動作を開始すると、通信監視部１６を通じて現在中継中の通話チャネル呼数を取得し、同通話チャネル呼数が設定閾値以下であるか否かを判定する（ステップＳ１３）。
【００４２】
メイン側制御部２４は、現在中継中の通話チャネル呼数が設定閾値以下であると判定されると、通信監視部１６を通じて現在中継中の通話チャネルがあるか否かを判定する（ステップＳ１４）。
【００４３】
メイン側制御部２４は、現在中継中の通話チャネルがあると判定されると、現在中継中の全通話チャネルを閉塞して（ステップＳ１５）、ＬＡＮ側通信制御部１２及びＷＡＮ側通信制御部１４に対してリセット要求を実行し（ステップＳ１６）、同リセット要求に対するＬＡＮ側通信制御部１２及びＷＡＮ側通信制御部１４のリセット動作が完了したか否かを判定する（ステップＳ１７）。
【００４４】
さらに、メイン側制御部２４は、ステップＳ１７にてＬＡＮ側通信制御部１２及びＷＡＮ側通信制御部１４のリセット動作が完了したと判定されると、再起動部２０に対してリセット信号を出力することで（ステップＳ１８）、再起動部２０の再起動を開始する（ステップＳ１９）。
【００４５】
メイン側制御部２４は、再起動部２０の再起動に応じて、変更内容メモリ部１８に記憶中の変更内容にメモリ部１７に記憶中の構成情報を更新し（ステップＳ２０）、この処理動作を終了する。
【００４６】
また、メイン側制御部２４は、ステップＳ１０にて自動再起動設定がＯＮ中でないと判定されると、自動再起動設定がＯＦＦであると判断し、この処理動作を終了する。また、メイン側制御部２４は、ステップＳ１１にて現在時刻がリセット開始時刻に到達したのでなければ、この処理動作を終了する。
【００４７】
また、メイン側制御部２４は、ステップＳ１２にて現在設定中のリセットモードが通話状況対応リセットモードでないと判定されると、強制リセットモードであると判断し、ステップＳ１４に移行する。
【００４８】
また、メイン側制御部２４は、ステップＳ１４にて現在中継中の通話チャネルがないと判定されると、通話チャネルは全て閉塞されているものと判断し、ステップＳ１６に移行する。
【００４９】
また、メイン側制御部２４は、ステップＳ１３にて現在中継中の通話チャネル呼数が設定閾値以下でないと判定されると、通信監視部１６を通じて現在中継中の通話チャネル内に終話チャネルがあるか否かを判定する（ステップＳ２２）。
【００５０】
メイン側制御部２４は、終話チャネルがあると判定されると、同終話チャネルの通話チャネルを閉塞し（ステップＳ２３）、現在中継中の通話チャネル呼数を−１デクリメントして（ステップＳ２４）、現在中継中の通話チャネル呼数が設定閾値以下であるか否かを判定すべく、ステップＳ１３に移行する。
【００５１】
また、メイン側制御部２４は、ステップＳ２２にて終話チャネルがないと判定されると、ステップＳ２１にて計時動作を開始した通話監視タイマがタイムアップしたか否かを判定する（ステップＳ２５）。
【００５２】
メイン側制御部２４は、ステップＳ２５にて通話監視タイマがタイムアップしたのでなければ、終話チャネルの有無を監視すべく、ステップＳ２２に移行する。
【００５３】
また、メイン側制御部２４は、ステップＳ２５にて通話監視タイマがタイムアップしたのであれば、現在中継中の通話チャネルを全て強制的に閉塞すべく、ステップＳ１５に移行する。
【００５４】
図４に示す第１自動再起動処理によれば、現在時刻がリセット開始時刻に到達したと判定されると、現在中継中の通話チャネル呼数が設定閾値以下であるか否かを判定し、現在中継中の通話チャネル呼数が設定閾値以下であると判定されると、再起動を実行すべく、リセット信号を出力するようにしたので、例えば通信利用頻度の少ない夜中等の時間帯にリセット開始時刻を設定した場合、通信中継装置４が運用中であったとしても、再起動に伴う現在中継中の通話チャネル呼の切断を最小限、すなわち設定閾値以下に抑えながら、構成情報の変更内容を更新することができる。
【００５５】
また、第１自動再起動処理によれば、現在時刻がリセット開始時刻に到達したと判定されると、タイマ監視部２３を通じて通話監視タイマの計時動作を開始し、現在中継中の通話チャネル呼数が設定閾値以下でないと判定されたとしても、通話チャネル呼数が設定閾値以下であるか否かを判定する判定動作を継続し、通話監視タイマがタイムアップすると、リセット信号を出力するようにしたので、ステップＳ１３の判定動作を継続し、現在中継中の通話チャネル呼数が設定閾値以下にならなくても、通話監視タイマがタイムアップすると、強制的にリセット信号を出力することで、構成情報を変更内容に更新できなくなるような弊害を防止することができる。
【００５６】
尚、図４に示す第１自動再起動処理においては、リセット開始時刻を設定しておき、ステップＳ１１にて現在時刻がリセット開始時刻に到達したと判定されると、第１自動再起動処理に関わるステップＳ１２以降の処理動作を実行するようにしたが、リセット開始時刻を設定しなくても、自動再起動処理を実行するようにしても良く、この場合の処理動作につき、第２自動再起動処理として説明する。図５は第２自動再起動処理に関わるメイン側制御部２４の処理動作を示すフローチャートである。
【００５７】
図５に示す第２自動再起動処理とは、リセット開始時刻を設定しなくても、現在の通信状況に応じて再起動を実行する処理である。尚、メイン側制御部２４は、リセット開始時刻を設定することなく、設定部２１を通じて自動再起動設定をＯＮ、通話状況対応リセットモード設定をＯＮ、現在時刻設定、設定閾値設定が夫々設定されているものとする。
【００５８】
図５においてメイン側制御部２４は、自動再起動設定がＯＮ中であるか否かを判定する（ステップＳ３１）。
【００５９】
メイン側制御部２４は、自動再起動設定がＯＮ中であると判定されると、通信監視部１６を通じて現在中継中の通話チャネル呼数を取得し、同通話チャネル呼数が設定閾値以下であるか否かを判定する（ステップＳ３２）。尚、リセット開始時刻が設定されていない場合は、通話状況対応リセットモードがＯＮ設定されているものとする。
【００６０】
メイン側制御部２４は、通話チャネル呼数が設定閾値以下であると判定されると、通信監視部１６を通じて現在中継中の通話チャネルがあるか否かを判定する（ステップＳ３３）。
【００６１】
メイン側制御部２４は、現在中継中の通話チャネルがあると判定されると、現在中継中の全通話チャネルを閉塞し（ステップＳ３４）、ＬＡＮ側通信制御部１２及びＷＡＮ側通信制御部１４に対してリセット要求を実行し（ステップＳ３５）、同リセット要求に対するＬＡＮ側通信制御部１２及びＷＡＮ側通信制御部１４のリセット動作が完了したか否かを判定する（ステップＳ３６）。
【００６２】
さらに、メイン側制御部２４は、ステップＳ３６にてＬＡＮ側通信制御部１２及びＷＡＮ側通信制御部１４のリセット動作が完了したと判定されると、再起動部２０に対してリセット信号を出力することで（ステップＳ３７）、再起動部２０の再起動を開始する（ステップＳ３８）。
【００６３】
メイン側制御部２４は、再起動部２０の再起動に応じて、変更内容メモリ部１８に記憶中の変更内容にメモリ部１７に記憶中の構成情報を更新し（ステップＳ３９）、この処理動作を終了する。
【００６４】
また、メイン側制御部２４は、ステップＳ３１にて自動再起動設定がＯＮでないと判定されると、自動再起動設定がＯＦＦであると判断し、この処理動作を終了する。
【００６５】
また、メイン側制御部２４は、ステップＳ３３にて現在中継中の通話チャネルがないと判定されると、全ての通話チャネルは閉塞されているものと判断し、ステップＳ３５に移行する。
【００６６】
また、メイン側制御部２４は、ステップＳ３２にて現在中継中の通話チャネル呼数が設定閾値以下でないと判定されると、通信監視部１６を通じて現在中継中の通話チャネル内に終話チャネルがあるか否かを判定する（ステップＳ４０）。
【００６７】
メイン側制御部２４は、終話チャネルがあると判定されると、同終話チャネルの通話チャネルを閉塞し（ステップＳ４１）、現在中継中の通話チャネル呼数を−１デクリメントして（ステップＳ４２）、現在中継中の通話チャネル呼数が設定閾値以下であるか否かを判定すべく、ステップＳ３２に移行する。
【００６８】
また、メイン側制御部２４は、ステップＳ４０にて終話チャネルがないと判定されると、現在中継中の通話チャネル呼数が設定閾値以下であるか否かを監視すべく、ステップＳ３２に移行する。
【００６９】
図５に示す第２自動再起動処理によれば、リセット開始時刻を設定しなくても、現在中継中の通話チャネル呼数が設定閾値以下であるか否かを判定し、現在中継中の通話チャネル呼数が設定閾値以下であると判定されると、再起動を実行すべく、リセット信号を出力するようにしたので、リセット開始時刻を設定しなくても、再起動に伴う現在中継中の通話チャネル呼の切断を最小限、すなわち設定閾値以下に抑えながら、構成情報の変更内容を更新することができる。
【００７０】
また、第２自動再起動処理によれば、ステップＳ３２にて現在中継中の通話チャネル呼数が設定閾値になるまでステップＳ３２の判定動作を継続するようにしたので、再起動に伴う現在中継中の通話チャネル呼の切断を最小限、すなわち設定閾値以下に抑えながら、構成情報の変更内容を更新することができる。
【００７１】
尚、上記第２自動再起動処理においては、ステップＳ３２にて現在中継中の通話チャネル呼数が設定閾値になるまでステップＳ３２の判定動作を継続するようにしたが、図４に示すステップＳ２１及びステップＳ２５の通話監視タイマのタイムアップに応じて強制的にリセット信号を出力するようにしても良いことは言うまでもない。
【００７２】
本実施の形態によれば、通信監視部１６の監視結果に基づき、現在中継中の通話チャネル呼数が設定閾値以下であると判定されると、再起動を実行すべく、リセット信号を出力するようにしたので、設定閾値を“０”若しくは通話チャネル強制切断の許容呼数に設定しておくことで、同通信中継装置４が運用中であったとしても、現在中継中の通話チャネルの切断を最小限、すなわち設定閾値以下に抑えながら、構成情報の変更内容を更新することができる。
【００７３】
本実施の形態によれば、現在時刻がリセット開始時刻に到達したと判定されると、現在中継中の通話チャネル呼数が設定閾値以下であるか否かの判定動作を実行するようにしたので、例えば通信利用頻度の少ない夜中等の時間帯に設定時刻を設定した場合、再起動に伴う現在中継中の通話チャネルの切断を最小限、すなわち設定閾値以下に抑えながら、構成情報の変更内容を更新することができる。
【００７４】
さらに、本実施の形態によれば、現在時刻がリセット開始時刻に到達したと判定されると、タイマ監視部２３を通じて通話監視タイマの計時動作を開始し、現在中継中の通話チャネル呼数が設定閾値以下でないと判定されたとしても、現在中継中の通話チャネル呼数が設定閾値以下であるか否かを判定する判定動作を継続し、通話監視タイマがタイムアップすると、リセット信号を出力するようにしたので、現在中継中の通話チャネル呼数が設定閾値以下にならなくても、通話監視タイマがタイムアップすると、強制的にリセット信号を出力することで、構成情報を変更内容に更新できなくなるような弊害を防止することができる。
【００７５】
また、本実施の形態によれば、現在中継中の通話チャネル呼数が設定閾値以下でないと判定されると、現在中継中の通話チャネル呼数が設定閾値以下になるまで同判定動作を継続するようにしたので、再起動に伴う現在中継中の通話チャネルの切断を最小限、すなわち設定閾値以下に抑えながら、構成情報の変更内容を更新することができる。
【００７６】
尚、上記実施の形態においては、現在中継中の通話チャネル呼数が設定閾値以下であるか否かの判定結果に基づき、再起動部２０にリセット信号を出力し、同再起動部２０の再起動に応じて変更内容メモリ部１８に記憶中の変更内容にメモリ部１７に記憶中の構成情報を更新するようにしたが、現在中継中の通話チャネル呼数が設定閾値以下であるか否かの判定動作に関係なく、例えば現在時刻がリセット開始時刻に到達したか否かを判定し、現在時刻がリセット開始時刻に到達した場合に、再起動部２０にリセット信号を出力し、同再起動部２０の再起動に応じて変更内容メモリ部１８に記憶中の変更内容にメモリ部１７に記憶中の構成情報を更新するようにしても良く、この場合、例えば通信利用頻度の少ない夜中の時間帯をリセット開始時刻として設定し、再起動に伴う現在中継中の通話チャネル呼の切断を、通信利用頻度の多い時間帯に比較して最小限に抑えながら、構成情報の変更内容を更新することができる。
【産業上の利用可能性】
【００７７】
上記のように構成された本発明の通信中継装置によれば、通信監視手段の監視結果に基づき、現在中継中の通信呼数が設定閾値以下であると判定されると、再起動を実行すべく、リセット信号を出力するようにしたので、例えば設定閾値を“０”若しくは通信呼切断の最小許容呼数に設定しておくことで、同通信中継装置が運用中であったとしても、再起動に伴う、現在中継中の通信呼の切断を最小限、すなわち設定閾値以下に抑えながら、構成情報の変更内容を更新することができるため、例えば通話呼やデータ呼を中継する通信中継装置に有用である。
【図面の簡単な説明】
【００７８】
【図１】本発明の通信中継装置に関わる実施の形態を示すＬＡＮ−ＷＡＮ通信システム全体の概略構成を示すブロック図である。
【図２】本実施の形態に関わる通信中継装置内部の概略構成を示すブロック図である。
【図３】本実施の形態に関わるＷＡＮ側通信システム内の保守用ＰＣ上の設定画面を示す説明図である。
【図４】本実施の形態に関わる通信中継装置の第１自動再起動処理に関わるメイン側制御部の処理動作を示すフローチャートである。
【図５】本実施の形態に関わる通信中継装置の第２自動再起動処理に関わるメイン側制御部の処理動作を示すフローチャートである。
【符号の説明】
【００７９】
４  通信中継装置
１５  通信中継部（通信中継手段）
１６  通信監視部（通信監視手段）
１９  メモリ制御部（更新手段）
２０  再起動部（再起動手段）
２２  リセット時刻監視部（設定時刻判定手段）
２３  タイマ監視部（所定監視タイマ）
２４  メイン側制御部（更新手段、通信呼数判定手段、リセット条件判定手段及び制御手段）
【図１】
0004615471.tif 000002
【図２】
0004615471.tif 000003
【図３】
0004615471.tif 000004
【図４】
0004615471.tif 000005
【図５】
0004615471.tif 000006